(57)【要約】【課題】  乳幼児の頭部を簡易な構成で保温することのできる、おくるみを提供する。【解決手段】  乳幼児３０の全身をくるむことのできるおくるみは、一枚の布で構成される。布には、乳幼児３０をくるんだときに、乳幼児３０の腕を通すための２つの穴が設けられ、布に乳幼児３０をくるんだとき、乳幼児３０の頭部に近接して設けられ、乳幼児３０の頭部の周囲を囲むように布の一部を収縮させる紐１３ａ、１３ｂが設けられる。クリップ２５を手で持って、紐１３ａ、１３ｂを引張ることにより、乳幼児３０の頭部の周囲の布が乳幼児３０の頭部を包み、フードを構成する。【選択図】        図７
2005068584.tif 000002
【特許請求の範囲】
【請求項１】
乳幼児の全身をくるむことのできるおくるみであって、
一枚の布を含み、
前記布に乳幼児をくるんだとき、乳幼児の頭部に近接して設けられ、乳幼児の頭部の周囲を囲むように前記布の一部を収縮させる手段を含む、おくるみ。
【請求項２】
前記布には、乳幼児をくるんだときに、乳幼児の腕を通すための２つの穴が設けられる、請求項１に記載のおくるみ。
【請求項３】
乳幼児の頭部の周囲を囲むように前記布の一部を収縮させる手段は、乳幼児の頭部付近の左右に設けられた一対の紐であり、前記一対の紐を引くことによって、前記布が収縮する、請求項１または２に記載のおくるみ。
【請求項４】
前記一対の紐は前記布の裏面に設けられる、請求項３に記載のおくるみ。
【請求項５】
前記一対の紐の先端部には相互に着脱自在のクリップが設けられる、請求３または４に記載のおくるみ。
【請求項６】
前記一対の紐の他方側端部は乳幼児の頭部近辺で固定されている、請求項３から５のいずれかに記載のおくるみ。
【請求項７】
前記布はほぼ正方形であり、乳幼児の頭部は前記布に対して、前記ほぼ正方形の布の一つの頂点近くに保持され、胴部は前記頂点を通る対角線上に保持され、
前記一対の紐は、前記頂点から延びる連続する２辺上の前記頂点から等距離の所定の位置に設けられる、請求項３から６のいずれかに記載のおくるみ。
【請求項８】
乳幼児の全身を保持するためのおくるみであって、
交わる２辺で構成される頂部を有する布と、
前記頂部の下方に設けられ、乳幼児の頭部を前記頂部付近に保持したとき、乳幼児の腕を通すための２つの穴と、
前記交わる２辺の前記頂部付近には通路状の孔が設けられ、
前記通路状の孔を通って設けられ、前記通路より長い紐とを含む、おくるみ。
【発明の詳細な説明】
【技術分野】
【０００１】
この発明は乳幼児用のおくるみに関し、特に、乳幼児の頭部を保護できるおくるみに関する。
【背景技術】
【０００２】
従来のおくるみが、たとえば、下記特許文献１に開示されている。特許文献１に開示されたおくるみによれば、乳幼児の左右の足を別々に収容する収容部が設けられている。
【特許文献１】実用新案登録第３０７０３０２号公報（図１および図２ならびにそれらに関連する記載）
【発明の開示】
【発明が解決しようとする課題】
【０００３】
従来のおくるみは上記のように構成されていた。使用時の足部分の防寒については考慮されていたが、頭部の防寒についての考慮がなされていなかったため、乳幼児の頭部について温度調節が十分できないという問題があった。
【０００４】
この発明は、上記のような問題点に鑑みてなされたもので、乳幼児の頭部についての温度調節を十分できるおくるみを提供することを目的とする。
【課題を解決するための手段】
【０００５】
この発明にかかる、乳幼児の全身をくるむことのできるおくるみは、一枚の布を含み、布に乳幼児をくるんだとき、乳幼児の頭部に近接して設けられ、乳幼児の頭部の周囲を囲むように布の一部を収縮させる手段を含む。
【０００６】
乳幼児をくるんだとき、乳幼児の頭部の周囲を囲むように布の一部を収縮させる手段を含むため、布を収縮させる程度を加減することによって、乳幼児の頭部を所望の温度に保つことができる。
【０００７】
その結果、乳幼児の頭部の温度調節を十分できるおくるみを提供することができる。
【０００８】
好ましくは、布には、乳幼児をくるんだときに、乳幼児の腕を通すための２つの穴が設けられる。布には２つの穴が設けられるため、通気性を確保できる。
【０００９】
好ましくは、乳幼児の頭部の周囲を囲むように布の一部を収縮させる手段は、乳幼児の頭部付近の左右に設けられた一対の紐であり、前記一対の紐を引くことによって、前記布が収縮する。一対の紐を引くだけで布が収縮し、乳幼児の頭部を覆うことができる。
【００１０】
好ましくは、一対の紐は布の裏面に設けられる。
【００１１】
さらに好ましくは、一対の紐の先端部には相互に着脱自在のクリップが設けられる。
【００１２】
さらに好ましくは、一対の紐の他方側端部は乳幼児の頭部近辺で固定されている。
【００１３】
さらに好ましくは、布はほぼ正方形であり、乳幼児の頭部は布に対してほぼ正方形の布の一つの頂点近くに保持され、胴部は頂点を通る対角線上に保持され、一対の紐は、頂点から延びる連続する２辺上の頂点から等距離の所定の位置に設けられる。
【００１４】
この発明の他の局面によれば、乳幼児の全身を保持するためのおくるみは、交わる２辺で構成される頂部を有する布と、頂部の下方に設けられ、乳幼児の頭部を頂部付近に保持したとき、乳幼児の腕を通すための２つの穴と、交わる２辺の頂部付近には通路状の孔が設けられ、通路状の孔を通って設けられ、通路より長い紐とを含む。
【００１５】
交わる２辺の頂部付近に設けられた通路状の孔を通って、長い紐が設けられており、この紐の両端を引くだけで、頂部付近の布が収縮する。
【００１６】
その結果、乳幼児の頭部を簡易な構成で乳幼児の全身についての温度調整を簡易な構成でできるおくるみを提供できる。
【発明を実施するための最良の形態】
【００１７】
以下、この発明の一実施の形態を、図面を参照して説明する。図１はこの発明に係る、おくるみの一実施の形態を示す図である。図１（Ａ）は正面図であり、図１（Ｂ）は背面図である。
【００１８】
図１を参照して、おくるみ１０は、ほぼ正方形の一枚の布、たとえば、ブランケット１１で構成される。おくるみ１０は、正方形の一つの頂点１５を上にしたとき、その下部の中央部の左右に設けられる長穴１２ａ，１２ｂと、ブランケット１１の裏面において、長穴１２ａ，１２ｂに対して、正方形の頂点１５の隣接する頂点１６，１７側に設けられた２本の紐１３ａ、１３ｂとを含む。
【００１９】
ブランケット１１の素材は、特に限定されないが、カシミア製であることが好ましい。
【００２０】
図１（Ｂ）を参照して、ブランケット１１はその周囲に周辺部１４を有し、周辺部１４の頂点１５および隣接する辺１８，１９の頂点１５の近傍には、辺１８，１９に沿って紐通路２０ａ、２０ｂが設けられている。２本の紐１３ａ、１３ｂはこれらの紐通路２０ａ、２０ｂの頂点１５近傍で一方端が固定されている。  一対の紐の他方側端部には、相互に着脱自在のクリップ２５ａ、２５ｂが設けられている。すなわち、クリップ２５ａには凸部が、クリップ２５ｂには凹部がそれぞれ設けられ、凸部と凹部とを合わせると相互に結合される。結合を解放するには、一方のクリップに設けられた図示のない押しボタンを押す。
【００２１】
各クリップ２５ａ，２５ｂはそれぞれ紐を貫通させる貫通孔を有する。貫通孔は図示のないばねで孔を塞ぐように付勢されている。このばねに対抗して突出部２６ａ，２６ｂをクリップ２５ａ，２５ｂの長手方向に押すことにより貫通孔は紐１３ａ，１３ｂが通過可能な完全な孔となる。クリップ２５ａ，２５ｂはこの貫通孔を介して紐１３に沿って上下動が可能であり、突出部２６ａ，２６ｂを押すことによって、任意の位置に位置決めできる。
【００２２】
次に、このおくるみ１０の使用方法について説明する。図２を参照して、まずおくるみ１０にくるむ乳幼児３０をブランケット１１の中央部でその腕が長穴１２ａ，１２ｂに隣接する部分に寝かせる。次いで、図３に示すように、乳幼児３０の両腕を長穴１２ａ，１２ｂに通す。この長穴１２ａ，１２ｂは通気穴としての機能も有する。
【００２３】
次に、図４に示すように、ブランケット１１の頂点１５の反対側の部分２３を折って、乳幼児３０の下半身の上にかぶせる。ついで乳幼児３０の側面を覆うように、乳幼児３０の左右からブランケット１１を順に重ねる（図５および図６）。
【００２４】
紐１３ａ，１３ｂが紐通路２０ａ，２０ｂから出る位置は、おくるみ１０で乳幼児３０をくるんだとき、クリップ２５ａ、２５ｂが胸元にくる位置が好ましい。クリップ２５ａの凸部とクリップ２５ｂの凹部とを乳幼児３０の胸元で合わせてクリップを一体化する。そして、一方の手でクリップ２５をその両端に設けられた突出部２６ａ、２６ｂを押すように保持し、他方の手で紐１３ａ、１３ｂを下側に引く。すると、平らだったブランケット１１の頂部１５近傍の布が収縮して立ち上がって立体形状となり、乳幼児３０の頭部を覆うフードが形成される（図７）。このフードによって、乳幼児３０の頭部を温かく包み、守ることができる。
【００２５】
紐１３ａ、１３ｂの引張り加減によって乳幼児３０の頭部を覆う程度を変えることができ、それによって乳幼児３０の頭部の温度の調整が可能である。
【００２６】
なお、乳幼児３０をおくるみから取り出すときは、上記手順と逆の手順で行う。
【００２７】
上記実施の形態においては、紐を、ブランケットの交わる２辺の頂点に個別に固定してそれぞれを個別に引張る例について説明したが、これに限らず、２本の紐通路を連続し、紐も一本にして、紐の両端部を引張って頭部を絞るようにしてもよい。
【００２８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２９】
【図１】この発明の１実施の形態に係るおくるみを示す図である。
【図２】おくるみで乳幼児をくるむ手順を順に示す図である。
【図３】おくるみで乳幼児をくるむ手順を順に示す図である。
【図４】おくるみで乳幼児をくるむ手順を順に示す図である。
【図５】おくるみで乳幼児をくるむ手順を順に示す図である。
【図６】おくるみで乳幼児をくるむ手順を順に示す図である。
【図７】おくるみで乳幼児をくるんだ状態を示す図である。
【符号の説明】
【００３０】
１０  おくるみ、１１  ブランケット、１２  長穴、１３  紐、１４  周辺部、１５、１６、１７  頂点、１８、１９  辺、２０  通路状の孔、２５  クリップ、２６  突出部、３０  乳幼児。
【図１】
2005068584.tif 000003
【図２】
2005068584.tif 000004
【図３】
2005068584.tif 000005
【図４】
2005068584.tif 000006
【図５】
2005068584.tif 000007
【図６】
2005068584.tif 000008
【図７】
2005068584.tif 000009